(57)【要約】  本出願は、通信方法及び装置を提供する。該方法は、端末装置により、第２の基地局から第１の情報を受信するステップであり、第１の情報は、第１の基地局のネットワークベースのセル固有参照信号ＣＲＳ帯域幅緩和ステータス情報を含み、第２の基地局は、端末装置のサービングセルの基地局であり、第１の基地局は、サービングセルの近隣セルの基地局である、ステップと、端末装置により、少なくとも第１の情報に基づいて測定帯域幅値を決定するステップと、端末装置により、測定帯域幅値に基づいて、端末装置が位置するサービングセル又はサービングセルの近隣セルの信号強度又は信号品質のうち少なくとも１つを測定するステップを含む。該方法において、第２の基地局は、第１の基地局のネットワークベースのＣＲＳ帯域幅緩和ステータス情報を端末に送信し得、それにより、第１の基地局と端末との題の帯域幅緩和ステータス情報の同期を実現する。さらに、端末は、帯域幅緩和ステータス情報に基づいて測定帯域幅値を再決定し、再決定された測定帯域幅値に基づいてセル測定を実行することができ、それにより、端末の測定オーバヘッドを低減することができる。
2021517436.tif 000002
【特許請求の範囲】
【請求項１】
通信方法であって、
端末装置により、第２の基地局から第１の情報を受信するステップであり、前記第１の情報は、第１の基地局のネットワークベースのセル固有参照信号ＣＲＳ帯域幅緩和ステータス情報を含み、前記第２の基地局は、前記端末装置のサービングセルの基地局であり、前記第１の基地局は、前記サービングセルの近隣セルの基地局である、ステップと、
前記端末装置により、少なくとも前記第１の情報に基づいて測定帯域幅値を決定するステップと、
前記端末装置により、前記測定帯域幅値に基づいて、前記端末装置が位置する前記サービングセル又は前記サービングセルの前記近隣セルの信号強度又は信号品質のうち少なくとも１つを測定するステップと、
を含む方法。
【請求項２】
前記端末装置により、少なくとも前記第１の情報に基づいて測定帯域幅値を決定するステップは、
前記第１の基地局の前記ネットワークベースのＣＲＳ帯域幅緩和ステータス情報が帯域幅緩和値を示すとき、前記端末装置により、前記帯域幅緩和値を前記測定帯域幅値として決定するステップ、又は、
前記第１の基地局の前記ネットワークベースのＣＲＳ帯域幅緩和ステータス情報が緩和状態を示すとき、前記端末装置により、前記緩和状態に対応する少なくとも２つの帯域幅緩和値のうち１つを前記測定帯域幅値として決定するステップ
を含む、請求項１に記載の方法。
【請求項３】
当該方法は、
前記端末装置により、前記第２の基地局から、前記第２の基地局のネットワークベースのＣＲＳ帯域幅緩和ステータス情報を受信するステップ、
をさらに含み、
前記端末装置により、少なくとも前記第１の情報に基づいて測定帯域幅値を決定するステップは、
前記端末装置により、前記第１の情報及び前記第２の基地局の前記ネットワークベースのＣＲＳ帯域幅緩和ステータス情報に基づいて前記測定帯域幅値を決定するステップ
を含む、請求項１又は２に記載の方法。
【請求項４】
通信方法であって、
第１の基地局により、第１の情報を第２の基地局に送信するステップであり、前記第１の情報は、前記第１の基地局のネットワークベースのセル固有参照信号ＣＲＳ帯域幅緩和ステータス情報を含み、前記第２の基地局は、端末装置のサービングセルの基地局であり、前記第１の基地局は、前記サービングセルの近隣セルの基地局である、ステップ
を含む方法。
【請求項５】
前記第１の基地局は、以下の条件、すなわち、
前記第１の基地局のＣＲＳ構成が変わること、及び
前記第１の基地局が前記第２の基地局から第１の要求情報を受信し、前記第１の要求情報は、前記第１の基地局の前記ネットワークベースのＣＲＳ帯域幅緩和ステータス情報を前記第２の基地局に送信するように前記第１の基地局に示すために使用されること
のうち少なくとも１つが満たされたとき、前記第１の情報を前記第２の基地局に送信する、請求項４に記載の方法。
【請求項６】
第１の基地局により、第１の情報を第２の基地局に送信するステップは、
前記第１の基地局により、前記第１の情報を前記第２の基地局に周期的に送信するステップ
を含む、請求項４に記載の方法。
【請求項７】
当該方法は、
前記第１の基地局により、第２の情報を前記第２の基地局に送信するステップであり、前記第２の情報は、前記第１の基地局のネットワークベースのＣＲＳ帯域幅緩和能力情報を含む、ステップ
をさらに含む、請求項４乃至６のうちいずれか１項に記載の方法。
【請求項８】
当該方法は、
前記第１の基地局により、前記第２の基地局から第２の要求情報を受信するステップであり、前記第２の要求情報は、前記第１の基地局の前記ネットワークベースのＣＲＳ帯域幅緩和能力情報を前記第２の基地局に送信するように前記第１の基地局に示すために使用される、ステップ
をさらに含む、請求項７に記載の方法。
【請求項９】
通信方法であって、
第２の基地局により、第１の基地局から第１の情報を受信するステップであり、前記第１の情報は、前記第１の基地局のネットワークベースのセル固有参照信号ＣＲＳ帯域幅緩和ステータス情報を含み、前記第２の基地局は、端末装置のサービングセルの基地局であり、前記第１の基地局は、前記サービングセルの近隣セルの基地局である、ステップ
を含む方法。
【請求項１０】
第２の基地局により、第１の基地局から第１の情報を受信するステップは、
前記第２の基地局により、第１の要求情報を前記第１の基地局に送信するステップであり、前記第１の要求情報は、前記第１の基地局の前記ネットワークベースのＣＲＳ帯域幅緩和ステータス情報を前記第２の基地局に送信するように前記第１の基地局に示すために使用される、ステップと、
前記第２の基地局により、前記第１の基地局から前記第１の情報を受信するステップと、
を含む、請求項９に記載の方法。
【請求項１１】
当該方法は、
前記第２の基地局により、前記第１の基地局から第２の情報を受信するステップであり、前記第２の情報は、前記第１の基地局のネットワークベースのＣＲＳ帯域幅緩和能力情報を含む、ステップ
をさらに含む、請求項９又は１０に記載の方法。
【請求項１２】
当該方法は、
前記第２の基地局により、第２の要求情報を前記第１の基地局に送信するステップであり、前記第２の要求情報は、前記第１の基地局の前記ネットワークベースのＣＲＳ帯域幅緩和能力情報を前記第２の基地局に送信するように前記第１の基地局に示すために使用される、ステップ
をさらに含む、請求項１１に記載の方法。
【請求項１３】
当該方法は、
前記第２の基地局により、前記第１の情報を前記端末装置に送信するステップ
をさらに含む、請求項９乃至１２のうちいずれか１項に記載の方法。
【請求項１４】
当該方法は、
前記第２の基地局により、少なくとも前記第１の情報に基づいて測定帯域幅値を決定するステップと、
前記第２の基地局により、前記測定帯域幅値を前記端末装置に送信するステップと、
をさらに含む、請求項９乃至１２のうちいずれか１項に記載の方法。
【請求項１５】
受信ユニット及び処理ユニットを含む端末装置であって、
前記受信ユニットは、第２の基地局から第１の情報を受信するように構成され、前記第１の情報は、第１の基地局のネットワークベースのセル固有参照信号ＣＲＳ帯域幅緩和ステータス情報を含み、前記第２の基地局は、当該端末装置のサービングセルの基地局であり、前記第１の基地局は、前記サービングセルの近隣セルの基地局であり、
前記処理ユニットは、少なくとも前記第１の情報に基づいて測定帯域幅値を決定し、前記測定帯域幅値に基づいて、当該端末装置が位置する前記サービングセル又は前記サービングセルの前記近隣セルの信号強度又は信号品質のうち少なくとも１つを測定するように構成される、装置。
【請求項１６】
前記処理ユニットは、
前記第１の基地局の前記ネットワークベースのＣＲＳ帯域幅緩和ステータス情報が帯域幅緩和値を示すとき、前記帯域幅緩和値を前記測定帯域幅値として決定し、あるいは
前記第１の基地局の前記ネットワークベースのＣＲＳ帯域幅緩和ステータス情報が緩和状態を示すとき、前記緩和状態に対応する少なくとも２つの帯域幅緩和値のうち１つを前記測定帯域幅値として決定する
ように具体的に構成される、請求項１５に記載の装置。
【請求項１７】
前記受信ユニットは、前記第２の基地局から、前記第２の基地局のネットワークベースのＣＲＳ帯域幅緩和ステータス情報を受信するようにさらに構成され、
前記処理ユニットは、前記第１の情報及び前記第２の基地局の前記ネットワークベースのＣＲＳ帯域幅緩和ステータス情報に基づいて前記測定帯域幅値を決定するように具体的に構成される、請求項１５又は１６に記載の装置。
【請求項１８】
第１の基地局に適用され、送信ユニットを含む装置であって、
前記送信ユニットは、第１の情報を第２の基地局に送信するように構成され、前記第１の情報は、前記第１の基地局のネットワークベースのセル固有参照信号ＣＲＳ帯域幅緩和ステータス情報を含み、前記第２の基地局は、端末装置のサービングセルの基地局であり、前記第１の基地局は、前記サービングセルの近隣セルの基地局である、装置。
【請求項１９】
前記送信ユニットは、以下の条件、すなわち、
前記第１の基地局のＣＲＳ構成が変わること、及び
当該装置が受信ユニットをさらに含み、前記受信ユニットは、前記第２の基地局から第１の要求情報を受信し、前記第１の要求情報は、前記第１の基地局の前記ネットワークベースのＣＲＳ帯域幅緩和ステータス情報を前記第２の基地局に送信するように前記第１の基地局に示すために使用されること
のうち少なくとも１つが満たされたとき、前記第１の情報を前記第２の基地局に送信するように構成される、請求項１８に記載の装置。
【請求項２０】
前記送信ユニットは、前記第１の情報を前記第２の基地局に周期的に送信するように具体的に構成される、請求項１８に記載の装置。
【請求項２１】
前記送信ユニットは、第２の情報を前記第２の基地局に送信するようにさらに構成され、前記第２の情報は、前記第１の基地局のネットワークベースのＣＲＳ帯域幅緩和能力情報を含む、請求項１８乃至２０のうちいずれか１項に記載の装置。
【請求項２２】
当該装置は、前記第２の基地局から第２の要求情報を受信するように構成された受信ユニットをさらに含み、前記第２の要求情報は、前記第１の基地局の前記ネットワークベースのＣＲＳ帯域幅緩和能力情報を前記第２の基地局に送信するように前記第１の基地局に示すために使用される、請求項２１に記載の装置。
【請求項２３】
請求項１８乃至２２のうちいずれか１項に記載の装置を含む基地局。
【請求項２４】
第２の基地局に適用され、受信ユニットを含む装置であって、
前記受信ユニットは、第１の基地局から第１の情報を受信するように構成され、前記第１の情報は、前記第１の基地局のネットワークベースのセル固有参照信号ＣＲＳ帯域幅緩和ステータス情報を含み、前記第２の基地局は、端末装置のサービングセルの基地局であり、前記第１の基地局は、前記サービングセルの近隣セルの基地局である、装置。
装置。
【請求項２５】
当該装置は、第１の要求情報を前記第１の基地局に送信するように構成された送信ユニットをさらに含み、前記第１の要求情報は、前記第１の基地局の前記ネットワークベースのＣＲＳ帯域幅緩和ステータス情報を前記第２の基地局に送信するように前記第１の基地局に示すために使用され、
前記受信ユニットは、前記第１の基地局から前記第１の情報を受信するようにさらに構成される、請求項２４に記載の装置。
【請求項２６】
前記受信ユニットは、前記第１の基地局から第２の情報を受信するようにさらに構成され、前記第２の情報は、前記第１の基地局のネットワークベースのＣＲＳ帯域幅緩和能力情報を含む、請求項２４又は２５に記載の装置。
【請求項２７】
当該装置は、第２の要求情報を前記第１の基地局に送信するように構成された送信ユニットを含み、前記第２の要求情報は、前記第１の基地局の前記ネットワークベースのＣＲＳ帯域幅緩和能力情報を前記第２の基地局に送信するように前記第１の基地局に示すために使用される、請求項２６に記載の装置。
【請求項２８】
当該装置は、前記第１の情報を前記端末装置に送信するように構成された送信ユニットを含む、請求項２４乃至２７のうちいずれか１項に記載の装置。
【請求項２９】
当該装置は送信ユニット及び処理ユニットを含み、
前記処理ユニットは、少なくとも前記第１の情報に基づいて測定帯域幅値を決定するように構成され、
前記送信ユニットは、前記測定帯域幅値を前記端末装置に送信するように構成される、請求項２４乃至２５のうちいずれか１項に記載の装置。
【請求項３０】
請求項２４乃至２９のうちいずれか１項に記載の装置を含む基地局。
【発明の詳細な説明】
【技術分野】
【０００１】
本出願は移動通信技術の分野に関し、特に通信方法及び装置に関する。
【背景技術】
【０００２】
従来技術において、セル固有参照信号（cell  reference  signal、ＣＲＳ）の密度は比較的高く、リソースの相当な部分が中負荷及び低負荷のセルに占有され、その結果、近隣セルへのいくらかの干渉を引き起こしている。したがって、現在、ネットワークベースのセル固有参照信号緩和（network-based  cell  reference  signal  mitigation、network-based  CRS  mitigation）の技術が提案されている。この技術は、セルのＣＲＳ帯域幅を条件付きで緩和し、それにより、中負荷及び低負荷のセルにより近隣セルに対して引き起こされる干渉をある程度低減する。
【０００３】
この技術が使用されるとき、基地局又は端末は、ネットワークベースのセル固有参照信号緩和中の基地局の緩和情報を習得することができない。
【発明の概要】
【０００４】
本出願は、基地局間、又は基地局と端末との間の、ネットワークベースのセル固有参照信号緩和中の基地局の緩和情報を同期するための、通信方法及び装置を提供する。
【０００５】
第１の態様によれば、本出願は通信方法を提供し、当該方法は、端末装置により、第２の基地局から第１の情報を受信するステップであり、第１の情報は、第１の基地局のネットワークベースのセル固有参照信号ＣＲＳ帯域幅緩和ステータス情報を含み、第２の基地局は、端末装置のサービングセルの基地局であり、第１の基地局は、サービングセルの近隣セルの基地局である、ステップと、端末装置により、少なくとも第１の情報に基づいて測定帯域幅値を決定するステップと、端末装置により、測定帯域幅値に基づいて、端末装置が位置するサービングセル又はサービングセルの近隣セルの信号強度又は信号品質のうち少なくとも１つを測定するステップと、を含む。
【０００６】
前述の通信方法において、第２の基地局は、第１の基地局のネットワークベースのセル固有参照信号ＣＲＳ帯域幅緩和ステータス情報を端末に送信し得、それにより、第１の基地局と端末との間の帯域幅緩和ステータス情報の同期を実現する。さらに、端末は、帯域幅緩和ステータス情報に基づいて測定帯域幅値を再決定し、再決定された測定帯域幅値に基づいてセル測定を実行することができ、それにより、端末の測定オーバヘッドを低減することができる。
【０００７】
可能な一実装において、端末装置により、少なくとも第１の情報に基づいて測定帯域幅値を決定するステップは、第１の基地局のネットワークベースのＣＲＳ帯域幅緩和ステータス情報が帯域幅緩和値を示すとき、端末装置により、帯域幅緩和値を測定帯域幅値として決定するステップ、又は、第１の基地局のネットワークベースのＣＲＳ帯域幅緩和ステータス情報が緩和状態を示すとき、端末装置により、緩和状態に対応する少なくとも２つの帯域幅緩和値のうち１つを測定帯域幅値として決定するステップを含む。
【０００８】
可能な一実装において、端末装置は、第２の基地局から、第２の基地局のネットワークベースのＣＲＳ帯域幅緩和ステータス情報を受信し、端末装置により、少なくとも第１の情報に基づいて測定帯域幅値を決定するステップは、端末装置により、第１の情報及び第２の基地局のネットワークベースのＣＲＳ帯域幅緩和ステータス情報に基づいて測定帯域幅値を決定するステップを含む。
【０００９】
第２の態様によれば、本出願は通信方法を提供し、当該方法は、第１の基地局により、第１の情報を第２の基地局に送信するステップであり、第１の情報は、第１の基地局のネットワークベースのセル固有参照信号ＣＲＳ帯域幅緩和ステータス情報を含み、第２の基地局は、端末装置のサービングセルの基地局であり、第１の基地局は、サービングセルの近隣セルの基地局である、ステップを含む。
【００１０】
前述の方法によれば、第１の基地局は、第１の基地局のネットワークベースのＣＲＳ帯域幅緩和ステータス情報を第２の基地局に送信し、それにより、第１の基地局と第２の基地局との間の緩和情報の同期を実現する。
【００１１】
可能な一実装において、第１の基地局は、以下の条件、すなわち、第１の基地局のＣＲＳ構成が変わること、及び第１の基地局が第２の基地局から第１の要求情報を受信し、第１の要求情報は、第１の基地局のネットワークベースのＣＲＳ帯域幅緩和ステータス情報を第２の基地局に送信するように第１の基地局に示すために使用されること、のうち少なくとも１つが満たされたとき、第１の情報を第２の基地局に送信する。
【００１２】
可能な一実装において、第１の基地局により、第１の情報を第２の基地局に送信するステップは、第１の基地局により、第１の情報を第２の基地局に周期的に送信するステップを含む。
【００１３】
可能な一実装において、当該方法は、第１の基地局により、第２の情報を第２の基地局に送信するステップであり、第２の情報は、第１の基地局のネットワークベースのＣＲＳ帯域幅緩和能力情報を含む、ステップをさらに含む。
【００１４】
可能な一実装において、当該方法は、第１の基地局により、第２の基地局から第２の要求情報を受信するステップであり、第２の要求情報は、第１の基地局のネットワークベースのＣＲＳ帯域幅緩和能力情報を第２の基地局に送信するように第１の基地局に示すために使用される、ステップをさらに含む。
【００１５】
可能な一実装において、当該方法は、第１の基地局により、第２の基地局から第３の情報を受信するステップであり、第３の情報は、第１の情報が受信されたことを通知するために使用される、ステップをさらに含む。
【００１６】
可能な一実装において、当該方法は、第１の基地局により、第２の基地局から第４の情報を受信するステップであり、第４の情報は、第２の情報が受信されたことを通知するために使用される、ステップをさらに含む。
【００１７】
第３の態様によれば、本出願は通信方法を提供し、当該方法は、第２の基地局により、第１の基地局から第１の情報を受信するステップであり、第１の情報は、第１の基地局のネットワークベースのセル固有参照信号ＣＲＳ帯域幅緩和ステータス情報を含み、第２の基地局は、端末装置のサービングセルの基地局であり、第１の基地局は、サービングセルの近隣セルの基地局である、ステップを含む。
【００１８】
前述の方法によれば、第１の基地局は、第１の基地局のネットワークベースのＣＲＳ帯域幅緩和ステータス情報を第２の基地局に送信し、それにより、第１の基地局と第２の基地局との間の緩和情報の同期を実現する。
【００１９】
可能な一実装において、第２の基地局により、第１の基地局から第１の情報を受信するステップは、第２の基地局により、第１の要求情報を第１の基地局に送信するステップであり、第１の要求情報は、第１の基地局のネットワークベースのＣＲＳ帯域幅緩和ステータス情報を第２の基地局に送信するように第１の基地局に示すために使用される、ステップと、第２の基地局により、第１の基地局から第１の情報を受信するステップと、を含む。
【００２０】
可能な一実装において、当該方法は、第２の基地局により、第１の基地局から第２の情報を受信するステップであり、第２の情報は、第１の基地局のネットワークベースのＣＲＳ帯域幅緩和能力情報を含む、ステップをさらに含む。
【００２１】
可能な一実装において、当該方法は、第２の基地局により、第２の要求情報を第１の基地局に送信するステップであり、第２の要求情報は、第１の基地局のネットワークベースのＣＲＳ帯域幅緩和能力情報を第２の基地局に送信するように第１の基地局に示すために使用される、ステップをさらに含む。
【００２２】
可能な一実装において、当該方法は、第２の基地局により、第３の情報を第１の基地局に送信するステップであり、第３の情報は、第１の情報が受信されたことを通知するために使用される、ステップをさらに含む。
【００２３】
可能な一実装において、当該方法は、第２の基地局により、第４の情報を第１の基地局に送信するステップであり、第４の情報は、第２の情報が受信されたことを通知するために使用される、ステップをさらに含む。
【００２４】
可能な一実装において、当該方法は、第２の基地局により、第１の情報を端末装置に送信するステップをさらに含む。
【００２５】
可能な一実装において、当該方法は、第２の基地局により、少なくとも第１の情報に基づいて測定帯域幅値を決定するステップと、第２の基地局により、測定帯域幅値を端末装置に送信するステップと、をさらに含む。
【００２６】
可能な一実装において、第２の基地局により、少なくとも第１の情報に基づいて測定帯域幅値を決定するステップは、第１の基地局のネットワークベースのＣＲＳ帯域幅緩和ステータス情報が帯域幅緩和値であるとき、第２の基地局により、帯域幅緩和値を測定帯域幅値として決定するステップ、又は、第１の基地局のネットワークベースのＣＲＳ帯域幅緩和ステータス情報が緩和状態であるとき、第２の基地局により、緩和状態に対応する複数の帯域幅緩和値のうち１つを測定帯域幅値として決定するステップを含む。
【００２７】
第４の態様によれば、本出願は装置を提供する。装置は、端末又はチップでもよい。装置は、第１の態様の各実施形態を実現する機能を有する。この機能は、ハードウェアにより実現されてもよく、あるいはハードウェアにより対応するソフトウェアを実行することにより実現されてもよい。ハードウェア又はソフトウェアは、前述の機能に対応する１つ以上のモジュールを含む。
【００２８】
第５の態様によれば、本出願は、プロセッサ及びメモリを含む装置を提供する。メモリは、命令を記憶するように構成される。装置が動作したとき、プロセッサは、メモリに記憶された命令を実行して、装置が第１の態様又は第１の態様の実装のいずれか１つに記載の通信方法を実行することを可能にする。メモリはプロセッサに統合されてもよく、あるいはプロセッサから独立していてもよいことに留意されたい。
【００２９】
第６の態様によれば、本出願は装置を提供する。装置は、プロセッサを含む。プロセッサは、メモリに結合し、メモリ内の命令を読み出し、命令に従って、第１の態様又は第１の態様の実装のいずれか１つに記載の通信方法を実行するように構成される。
【００３０】
第７の態様によれば、本出願は装置を提供する。装置は、基地局又はチップでもよい。装置は、第２の態様の各実施形態を実現する機能を有する。この機能は、ハードウェアにより実現されてもよく、あるいは対応するソフトウェアを実行することによりハードウェアにより実現されてもよい。ハードウェア又はソフトウェアは、前述の機能に対応する１つ以上のモジュールを含む。
【００３１】
第８の態様によれば、本出願は、プロセッサ及びメモリを含む装置を提供する。メモリは、命令を記憶するように構成される。装置が動作したとき、プロセッサは、メモリに記憶された命令を実行し、装置が第２の態様又は第２の態様の実装のいずれか１つに記載の通信方法を実行することを可能にする。メモリはプロセッサに統合されてもよく、あるいはプロセッサから独立していてもよいことに留意されたい。
【００３２】
第９の態様によれば、本出願は装置を提供する。装置は、プロセッサを含む。プロセッサは、メモリに結合し、メモリ内の命令を読み出し、命令に従って、第２の態様又は第２の態様の実装のいずれか１つに記載の通信方法を実行するように構成される。
【００３３】
第１０の態様によれば、本出願は装置を提供する。装置は、基地局又はチップでもよい。装置は、第３の態様の各実施形態を実現する機能を有する。この機能は、ハードウェアにより実現されてもよく、あるいは対応するソフトウェアを実行することによりハードウェアにより実現されてもよい。ハードウェア又はソフトウェアは、前述の機能に対応する１つ以上のモジュールを含む。
【００３４】
第１１の態様によれば、本出願は、プロセッサ及びメモリを含む装置を提供する。メモリは、命令を記憶するように構成される。装置が動作したとき、プロセッサは、メモリに記憶された命令を実行し、装置が第３の態様又は第３の態様の実装のいずれか１つに記載の通信方法を実行することを可能にする。メモリはプロセッサに統合されてもよく、あるいはプロセッサから独立していてもよいことに留意されたい。
【００３５】
第１２の態様によれば、本出願は装置を提供する。装置は、プロセッサを含む。プロセッサは、メモリに結合し、メモリ内の命令を読み出し、命令に従って、第３の態様又は第３の態様の実装のいずれか１つに記載の通信方法を実行するように構成される。
【００３６】
第１３の態様によれば、本出願は、第７の態様、第８の態様、又は第９の態様に記載の装置を含み、かつ第１０の態様、第１１の態様、又は第１２の態様に記載の装置を含むシステムを提供する。さらに、システムは、第４の態様、第５の態様又は第６の態様に記載の装置をさらに含んでもよい。
【００３７】
第１４の態様によれば、本出願は、コンピュータ読取可能記憶媒体をさらに提供する。コンピュータ読取可能記憶媒体は、プログラム又は命令を記憶し、プログラム又は命令がコンピュータ上で実行されたとき、コンピュータは、前述の態様に記載の方法を実行可能にされる。
【００３８】
第１５の態様によれば、本出願は、命令を含むコンピュータプログラムプロダクトをさらに提供する。コンピュータプログラムプロダクトがコンピュータ上で実行されたとき、コンピュータは、前述の態様に記載の方法を実行可能にされる。
【図面の簡単な説明】
【００３９】
【図１】本出願による可能なネットワークアーキテクチャの概略図である。
【図２】本出願による通信方法の概略図である。
【図３】本出願による別の通信方法の概略図である。
【図４】本出願による装置の概略図である。
【図５】本出願による別の装置の概略図である。
【図６】本出願による別の装置の概略図である。
【発明を実施するための形態】
【００４０】
本出願の目的、技術的解決策、及び利点をより明確にするために、以下で、添付の図面を参照して本出願を詳細にさらに説明する。方法の実施形態における特定の動作方法は、装置の実施形態又はシステムの実施形態にさらに適用されてもよい。本出願の説明において、別段示されない限り、「複数」は２以上を意味する。
【００４１】
以下で、添付の図面を参照して本出願を詳細にさらに説明する。方法の実施形態における特定の動作方法は、装置の実施形態又はシステムの実施形態にさらに適用されてもよい。本出願の説明において、別段示されない限り、「複数」は２以上を意味する。
【００４２】
本出願における通信方法は、装置により実行されてもよいことに留意されたい。装置は、ネットワーク側の装置及び／又は端末側の装置であり得る。ネットワーク側では、装置は基地局又は基地局内のチップでもよく、すなわち、基地局又は基地局内のチップは、本出願における通信方法を実行し得る。端末側では、装置は端末又は端末内のチップでもよく、すなわち、端末又は端末内のチップは、本出願における通信方法を実行し得る。
【００４３】
説明の容易さのため、本出願では、装置が基地局又は端末である例を用いて通信方法を説明する。装置が基地局内のチップ又は端末内のチップである実装については、基地局又は端末により実行される通信方法の具体的な説明を参照する。詳細は再度説明されない。
【００４４】
図１は、本出願による可能なネットワークアーキテクチャの概略図であり、端末、第１の基地局、及び第２の基地局を含む。
【００４５】
第２の基地局は、端末のサービングセルの基地局である。換言すれば、第２の基地局によりサービスされる（served）セルは、端末のサービングセルである。第１の基地局は、端末のサービングセルの近隣セルの基地局である。換言すれば、第１の基地局によりサービスされる１つ以上のセルは、端末のサービングセルの近隣セルである。さらに、第１の基地局と第２の基地局は異なる基地局である。
【００４６】
端末は、第２の基地局から制御コマンド及び／又はデータを受信し得る。確かに、端末は、第１の基地局から制御コマンド及び／又はデータをさらに受信してもよい。例えば、端末は、第１の基地局からブロードキャスト情報を受信し得る。
【００４７】
第１の基地局と第２の基地局は、有線接続を通じて互いに通信してもよく、あるいはエアインターフェースを介して互いに通信してもよい。
【００４８】
本出願において、端末は、無線トランシーバ機能を有するデバイスである。端末は、陸上に配置されてもよく、屋内デバイス、屋外デバイス、ハンドヘルドデバイス、又は車載デバイスでもよい。代替的に、端末は、水上に（例えば、船上に）配置されてもよく、あるいは空中に（例えば、飛行機、気球、又は人工衛星上に）配置されてもよい。端末は、モバイルフォン（mobile  phone）、タブレット（パッド（pad））、無線トランシーバ機能を有するコンピュータ、仮想現実（virtual  reality、ＶＲ）端末、拡張現実（augmented  reality、ＡＲ）端末、又は工業制御（industrial  control）、自動運転（self  driving）、テレメディシン（遠隔医療（remote  medical））、スマートグリッド（smart  grid）、運輸安全（transportation  safety）、スマートシティ（smart  city）、若しくはスマートホーム（smart  home）に使用される無線端末でもよい。
【００４９】
基地局は、端末に対して無線通信機能を提供するデバイスであり、これらに限られないが、５Ｇの次世代ノードＢ（g  nodeB、ｇＮＢ）、進化型ノードＢ（evolved  node  B、ｅＮＢ）、無線ネットワークコントローラ（radio  network  controller、ＲＮＣ）、ノードＢ（node  B、ＮＢ）、基地局コントローラ（base  station  controller、ＢＳＣ）、ベーストランシーバ局（base  transceiver  station、ＢＴＳ）、ホーム基地局（例えば、ホーム進化型ノードＢ（home  evolved  NodeB）、ホームノードＢ（home  NodeB）、ＨＮＢ）、ベースバンドユニット（Base  Band  Unit、ＢＢＵ）、送信ポイント（transmitting  and  receiving  point、ＴＲＰ）、送信ポイント（transmitting  point、ＴＰ）、又は移動交換センタでもよい。
【００５０】
本出願において、第１の基地局は、ネットワークベースのＣＲＳ帯域幅緩和能力を有する基地局である。ネットワークベースのＣＲＳ帯域幅緩和能力により、ＣＲＳを送信するとき、第１の基地局は、ＣＲＳを帯域幅の一部（すなわち、緩和後の帯域幅）で送信し得る。このようにして、帯域幅リソースの占有を低減することによりリソースを節約することができ、近隣セルへの干渉をさらに低減することができる。例えば、第１の基地局は、合計２０ＲＢの帯域幅を占有する。例えば、第１の基地局がネットワークベースのＣＲＳ緩和の技術を使用し、第１の基地局が帯域幅の中央の６ＲＢでＣＲＳを送信し得る場合、本明細書ではこの６ＲＢが、緩和された帯域幅（mitigated  bandwidth）と呼ばれ得る。
【００５１】
例えば、本出願における第２の基地局もまた、ネットワークベースのＣＲＳ帯域幅緩和能力を有してもよい。別の例として、本出願における第２の基地局は、ネットワークベースのＣＲＳ帯域幅緩和能力を有さなくてもよい。
【００５２】
例えば、適用シナリオにおいて、第１の基地局は次世代基地局であり、ネットワークベースのＣＲＳ帯域幅緩和能力を有し、第２の基地局は現世代（last  generation）基地局であり、ネットワークベースのＣＲＳ帯域幅緩和能力を有さない。
【００５３】
別の例として、別の適用シナリオでは、第１の基地局と第２の基地局の双方が次世代基地局であり、したがって、双方がネットワークベースのＣＲＳ帯域幅緩和能力を有する。
【００５４】
本出願は、図１に示すネットワークアーキテクチャに基づいて本出願における通信方法を説明する。
【００５５】
前述の機能は、ハードウェアデバイス内のネットワーク要素、専用のハードウェア上で動作するソフトウェア機能、又はプラットフォーム（例えば、クラウドプラットフォーム）上にインスタンス化された仮想化された機能でもよいことが理解され得る。
【００５６】
図２は、本出願で提供される通信方法を示し、本方法は以下のステップを含む。
【００５７】
ステップ２０１：第１の基地局が、第１の情報を第２の基地局に送信する。対応して、第２の基地局は、第１の情報を受信する。
【００５８】
第１の情報は、第１の基地局のネットワークベースのＣＲＳ帯域幅緩和ステータス情報を含む。
【００５９】
第１の基地局は、第１の基地局がネットワークベースのＣＲＳ帯域幅緩和能力を有するときのみ、第１の基地局のネットワークベースのＣＲＳ帯域幅緩和ステータス情報を第２の基地局に送信することに留意されたい。
【００６０】
例えば、第１の基地局の現在のネットワークベースのＣＲＳ帯域幅緩和ステータスは、ＣＲＳ送信に使用される帯域幅がＸに緩和されることである。一実装において、ステータス情報は、Ｘとして表されてもよい。別の実装において、１ビットが使用されて、第１の基地局が現在ＣＲＳ帯域幅緩和状態にあることを示してもよい。例えば、「１」が、第１の基地局が現在ＣＲＳ帯域幅緩和状態にあること、すなわち、ステータス情報が「１」であることを示すために使用される。代替的に、「０」が、第１の基地局が現在ＣＲＳ帯域幅緩和状態にあること、すなわち、ステータス情報が０であることを示すために使用される。
【００６１】
別の例として、第１の基地局の、現在のネットワークベースのＣＲＳ帯域幅緩和ステータスは、ＣＲＳ送信に使用される帯域幅が緩和されていないことである。すなわち、第１の基地局は、帯域幅全体を使用することによりＣＲＳを送信する。一実装において、ステータス情報は、Ｙとして表されてもよい（本明細書でＹは、第１の基地局により占有される帯域幅全体を指す）。別の実装において、１ビットが使用されて、第１の基地局が現在ＣＲＳ帯域幅緩和状態にあることを示してもよい。例えば、「１」が、第１の基地局が現在ＣＲＳ帯域幅非緩和状態にあること、すなわち、ステータス情報が「１」であることを示すために使用される。代替的に、「０」が、第１の基地局が現在ＣＲＳ帯域幅非緩和状態にあること、すなわち、ステータス情報が０であることを示すために使用される。
【００６２】
前述の方法によれば、第１の基地局は、第１の基地局のネットワークベースのＣＲＳ帯域幅緩和ステータス情報を第２の基地局に送信し得、それにより、第２の基地局は、第１の基地局のネットワークベースのＣＲＳ帯域幅緩和ステータス情報を習得することができる。対応して、第２の基地局もまたネットワークベースのＣＲＳ帯域幅緩和能力を有する場合、第２の基地局は、第２の基地局のネットワークベースのＣＲＳ帯域幅緩和ステータス情報を第１の基地局に送信し得る。このようにして、第１の基地局と第２の基地局との間の緩和情報（例えば、第１の基地局のネットワークベースのＣＲＳ帯域幅緩和ステータス情報、又は第２の基地局のネットワークベースのＣＲＳ帯域幅緩和ステータス情報）の同期を実現することができる。
【００６３】
一実装において、第１の情報を第２の基地局に送信するように第１の基地局をトリガする条件は、これらに限られないが以下の条件のうち少なくとも１つを含む。
【００６４】
条件１：第１の基地局のＣＲＳ構成が変わる。
【００６５】
例えば、第１の基地局のネットワークベースのＣＲＳ帯域幅緩和ステータスが、ＣＲＳ送信に使用される帯域幅が緩和されている状態から、ＣＲＳ送信に使用される帯域幅が緩和されていない状態に更新される場合、ＣＲＳ構成が変わると判定される。
【００６６】
別の例として、第１の基地局のネットワークベースのＣＲＳ帯域幅緩和ステータスが、ＣＲＳ送信に使用される帯域幅が緩和されていない状態から、ＣＲＳ送信に使用される帯域幅が緩和されている状態に更新される場合、ＣＲＳ構成が変わると判定される。
【００６７】
第１の基地局が、第１の基地局のＣＲＳ構成が変わると判定したとき、第１の基地局は、ネットワークベースのＣＲＳ帯域幅緩和ステータス情報を生成し、ネットワークベースのＣＲＳ帯域幅緩和ステータス情報を第２の基地局に送信する。
【００６８】
条件２：第１の基地局が、第２の基地局から第１の要求情報を受信し、第１の要求情報は、第１の基地局のネットワークベースのＣＲＳ帯域幅緩和ステータス情報を第２の基地局に送信するように第１の基地局に示すために使用される。
【００６９】
このようにして、第２の基地局は、第１の基地局から第１の基地局のネットワークベースのＣＲＳ帯域幅緩和ステータス情報を取得することを能動的に要求し、したがって、第１の要求情報を受信したとき、第１の基地局は、ネットワークベースのＣＲＳ帯域幅緩和ステータス情報を生成し、ネットワークベースのＣＲＳ帯域幅緩和ステータス情報を第２の基地局に送信する。
【００７０】
条件３：第１の基地局の送信周期が到来する。
【００７１】
すなわち、第１の基地局は、第１の基地局のネットワークベースのＣＲＳ帯域幅緩和ステータス情報を第２の基地局に周期的に送信する。したがって、送信周期が到来したとき、第１の基地局は、ネットワークベースのＣＲＳ帯域幅緩和ステータス情報を生成し、ネットワークベースのＣＲＳ帯域幅緩和ステータス情報を第２の基地局に送信する。
【００７２】
一実装において、本方法は、ステップ２０１の後に次のステップ２０２をさらに含んでもよい。
【００７３】
ステップ２０２：第２の基地局が、第１の基地局に第３の情報を送信する。対応して、第１の基地局は、第３の情報を受信する。
【００７４】
第３の情報は、第１の情報が受信されたことを通知するために使用される。すなわち、第３の情報は、第１の情報の受信に対する応答情報として理解されてもよく、第２の基地局が第１の情報を受信したことを第１の基地局に通知するために使用される。
【００７５】
一実装において、本方法は、ステップ２０１の後に以下のステップ２０３をさらに含んでもよい。
【００７６】
ステップ２０３：第１の基地局が、第２の基地局に第２の情報を送信する。対応して、第２の基地局は、第２の情報を受信する。
【００７７】
第２の情報は、第１の基地局のネットワークベースのＣＲＳ帯域幅緩和能力情報を含む。
【００７８】
一実装において、１ビットが使用されて、第１の基地局のネットワークベースのＣＲＳ帯域幅緩和能力を示してもよい。例えば、第１の基地局がネットワークベースのＣＲＳ帯域幅緩和能力を有する場合、第１の基地局のネットワークベースのＣＲＳ帯域幅緩和能力情報は「１」として表されてもよい。第１の基地局がネットワークベースのＣＲＳ帯域幅緩和能力を有さない場合、第１の基地局のネットワークベースのＣＲＳ帯域幅緩和能力情報は「０」として表されてもよい。
【００７９】
代替的に、第１の基地局がネットワークベースのＣＲＳ帯域幅緩和能力を有する場合、第１の基地局のネットワークベースのＣＲＳ帯域幅緩和能力情報は「０」として表される。第１の基地局がネットワークベースのＣＲＳ帯域幅緩和能力を有さない場合、第１の基地局のネットワークベースのＣＲＳ帯域幅緩和能力情報は「１」として表される。
【００８０】
本出願において、第１の基地局は、ネットワークベースのＣＲＳ帯域幅緩和能力を有する。
【００８１】
一実装において、例えば、第２の基地局に第２の情報を送信するように第１の基地局をトリガする条件は、第１の基地局が第２の基地局から第２の要求情報を受信することでもよく、第２の要求情報は、第１の基地局のネットワークベースのＣＲＳ帯域幅緩和能力情報を第２の基地局に送信するように第１の基地局に示すために使用される。
【００８２】
このようにして、第１の基地局が第２の基地局から第２の要求情報を受信したとき、第１の基地局は、第２の情報を送信し、すなわち、第１の基地局のネットワークベースのＣＲＳ帯域幅緩和能力情報を第２の基地局に送信する。
【００８３】
一実装において、本方法は、ステップ２０３の後に以下のステップ２０４をさらに含んでもよい。
【００８４】
ステップ２０４：第２の基地局が、第１の基地局に第４の情報を送信する。対応して、第１の基地局は、第４の情報を受信する。
【００８５】
第４の情報は、第２の情報が受信されたことを通知するために使用される。すなわち、第４の情報は、第２の情報の受信に対する応答情報として理解されてもよく、第２の基地局が第２の情報を受信したことを第１の基地局に通知するために使用される。
【００８６】
一実装において、ステップ２０１とステップ２０３は１つのステップに組み合わせられてもよいことに留意されたい。例えば、第１の基地局は、第１の情報と第２の情報の双方を、１つのメッセージを使用することにより第２の基地局に送信する。対応して、ステップ２０２とステップ２０４もまた、１つのステップに組み合わせられてもよく、すなわち、第２の基地局は、第３の情報と第４の情報の双方を、１つのメッセージを使用することにより第１の基地局に送信してもよい。
【００８７】
一実装において、ステップ２０１の後、本方法はさらに、以下のステップ２０５、ステップ２０６、及びステップ２０９を含み、あるいはステップ２０７、ステップ２０８、及びステップ２０９を含んでもよい。
【００８８】
ステップ２０５：第２の基地局が、第１の情報を端末に送信する。対応して、端末は、第１の情報を受信する。
【００８９】
第１の情報を受信した後、端末は、第１の情報に基づいて測定帯域幅値を決定し得る。
【００９０】
ステップ２０６：端末が、測定帯域幅値を決定する。
【００９１】
一実装において、第１の基地局のネットワークベースのＣＲＳ帯域幅緩和ステータス情報が帯域幅緩和値を示すとき、端末は、帯域幅緩和値を測定帯域幅値として決定する。例えば、第２の基地局により端末に送信される第１の情報に含まれる第１の基地局のネットワークベースのＣＲＳ帯域幅緩和ステータス情報が６ＲＢである場合、端末は、測定帯域幅値を６ＲＢであるように決定することができる。
【００９２】
別の実装において、第１の基地局のネットワークベースのＣＲＳ帯域幅緩和ステータス情報が緩和された状態を示すとき、端末は、緩和された状態に対応する複数の帯域幅緩和値のうち１つを測定帯域幅値として決定する。例えば、「１」が、第１の基地局のネットワークベースのＣＲＳ帯域幅緩和ステータスが緩和された状態であることを示し、「０」が、第１の基地局のネットワークベースのＣＲＳ帯域幅緩和ステータスが緩和されていない状態を示すことが前もってネゴシエートされる。さらに、緩和された状態に対応する帯域幅緩和値が、｛６ＲＢ，５ＲＢ，４ＲＢ｝に予め設定される。このようにして、第１の基地局のネットワークベースのＣＲＳ帯域幅緩和ステータス情報が「１」であるとき、端末は、第１の基地局のネットワークベースのＣＲＳ帯域幅緩和ステータス情報が緩和状態を示すと決定し、｛６ＲＢ，５ＲＢ，４ＲＢ｝のうち１つを測定帯域幅として決定する。例えば、ランダム選択が行われてもよく、あるいは、最大使用回数に基づいて選択が行われる。例えば、５ＲＢが選択されている場合、端末は、測定帯域幅値が５ＲＢであると決定する。
【００９３】
本出願のステップ２０６において、一実装では、端末は、各近隣セルの測定帯域幅値を決定し、次いで、測定帯域幅値に基づいて近隣セルを測定してもよく、同様に、端末は、端末のサービングセルの測定帯域幅値を決定し、次いで、測定帯域幅値に基づいてサービングセルを測定してもよい。別の実装において、端末は、端末のサービングセル及びサービングセルの全ての近隣セルに対する１つの測定帯域幅値をさらに決定し、次いで、測定帯域幅値に基づいて、端末のサービングセル及びサービングセルの全ての近隣セルを測定してもよい。特定の実装の間、端末は、サービングセルのみを測定し、あるいはサービングセルの近隣セルのみを測定し、あるいはサービングセルとサービングセルの近隣セルの双方を測定してもよい。
【００９４】
別の実装において、第２の基地局がネットワークベースのＣＲＳ帯域幅緩和能力をさらに有する場合、第２の基地局は、第２の基地局のネットワークベースのＣＲＳ帯域幅緩和ステータス情報を端末にさらに送信してもよく、次いで、端末は、第１の情報及び第２の基地局のネットワークベースのＣＲＳ帯域幅緩和ステータス情報に基づいて測定帯域幅値を決定する。例えば、第１の基地局のネットワークベースのＣＲＳ帯域幅緩和ステータス情報が第１の帯域幅緩和値を示し、第２の基地局のネットワークベースのＣＲＳ帯域幅緩和ステータス情報が第２の帯域幅緩和値を示すとき、端末は、第１の帯域幅緩和値及び第２の帯域幅緩和値のうちより大きいもの又はより小さいものを測定帯域幅値として決定してもよい。
【００９５】
ステップ２０７：第２の基地局が、測定帯域幅値を決定する。
【００９６】
ステップ２０７において第１の情報に基づいて第２の基地局により測定帯域幅値を決定する方法については、ステップ２０６において端末により測定帯域幅値を決定する方法を参照する。詳細はここで再度説明されない。
【００９７】
ステップ２０８：第２の基地局が、測定帯域幅値を端末に送信する。対応して、端末は、測定帯域幅値を受信する。
【００９８】
ステップ２０６及びステップ２０７の方法が使用される場合、第２の基地局は、第１の情報を端末に送信し、端末は、測定帯域幅値を決定する。
【００９９】
ステップ２０８及びステップ２０９の方法が使用される場合、第２の基地局は、測定帯域幅値を決定し、次いで、測定帯域幅値を端末に送信する。
【０１００】
ステップ２０９：端末が、測定帯域幅値に基づいて、端末が位置するサービングセル又はサービングセルの近隣セルの信号強度又は信号品質のうち少なくとも１つを測定する。
【０１０１】
測定帯域幅値が、緩和状態における第１の基地局の帯域幅値であるとき、帯域幅は、第１の基地局により占有される帯域幅全体の一部であるため、端末の測定オーバヘッドを測定の間低減することができる。
【０１０２】
前述の方法によれば、一方で、第１の基地局は、第１の基地局のネットワークベースのＣＲＳ帯域幅緩和ステータス情報を第２の基地局に送信し得、第１の基地局は、第１の基地局のネットワークベースのセル固有参照信号ＣＲＳ帯域幅緩和能力を第２の基地局にさらに送信し得、それにより、第１の基地局と第２の基地局との間の緩和情報（例えば、第１の基地局のネットワークベースのＣＲＳ帯域幅緩和ステータス情報、又は第１の基地局のネットワークベースのＣＲＳ帯域幅緩和能力情報）の同期を実現する。他方、第１の基地局と端末との間の帯域幅緩和ステータス情報の同期がさらに実現され、それにより、端末は、帯域幅緩和ステータス情報に基づいて測定帯域幅値を再決定し、再決定された測定帯域幅値に基づいてセル測定を実行して、端末の測定オーバヘッドを低減することができる。
【０１０３】
図３は、本出願による別の通信方法を示す。本方法は、図２に示す通信方法と連帯的に実施されてもよく、あるいは独立して実施されてもよい。これは、本出願において限定されない。図３に示す通信方法は、以下のステップを含む。
【０１０４】
ステップ３０１：第２の基地局が、第１の情報を端末に送信する。対応して、端末は、第１の情報を受信する。
【０１０５】
第１の情報は、図２に示す実施形態における第１の情報である。
【０１０６】
代替的な実装において、ステップ３０１は代替的に、第１の基地局が第１の情報を端末にブロードキャストすることでもよい。本方法では、第１の基地局は、第１の情報を端末にブロードキャスト方式で送信し得る。
【０１０７】
任意で、第２の基地局がネットワークベースのＣＲＳ帯域幅緩和能力を有する場合、本方法は、以下のステップ３０２をさらに含んでもよい。
【０１０８】
ステップ３０２：第２の基地局が、第２の基地局のネットワークベースのＣＲＳ帯域幅緩和ステータス情報を端末に送信する。対応して、端末は、第２の基地局のネットワークベースのＣＲＳ帯域幅緩和ステータス情報を受信する。
【０１０９】
ステップ３０３：端末が、測定帯域幅値を決定する。
【０１１０】
ステップ３０３を実施する方法は、ステップ２０６を実施する方法と同じであり、前述の説明を参照する。
【０１１１】
ステップ３０４：端末が、測定帯域幅値に基づいて、端末が位置するサービングセル又はサービングセルの近隣セルの信号強度又は信号品質のうち少なくとも１つを測定する。
【０１１２】
測定帯域幅値が、緩和状態における第１の基地局の帯域幅値であるとき、帯域幅は、第１の基地局により占有される帯域幅全体の一部であるため、端末の測定オーバヘッドを測定の間低減することができる。
【０１１３】
前述の通信方法によれば、端末は、第１の基地局のネットワークベースのセル固有参照信号ＣＲＳ帯域幅緩和ステータス情報を取得することができ、それにより、第１の基地局と端末との間の帯域幅緩和ステータス情報の同期を実現する。さらに、端末は、帯域幅緩和ステータス情報に基づいて測定帯域幅値を再決定し、再決定された測定帯域幅値に基づいてセル測定を実行することができ、それにより、端末の測定オーバヘッドを低減することができる。
【０１１４】
同じ発明概念に基づき、図４は、本出願による装置の概念図である。装置は、端末、基地局、又はチップでもよく、前述の実施形態のいずれか１つの方法を実行し得る。
【０１１５】
装置４００は、少なくとも１つのプロセッサ４０１、通信線４０２、メモリ４０３、及び少なくとも１つの通信インターフェース４０４を含む。
【０１１６】
プロセッサ４０１は、中央処理装置（central  processing  unit、ＣＰＵ）、マイクロプロセッサ、特定用途向け集積回路（application  specific  integrated  circuit、ＡＳＩＣ）、又は本出願における解決策を実行するためのプログラムを制御するように構成された１つ以上の集積回路でもよい。
【０１１７】
通信線４０２は、前述のコンポーネント間で情報を伝送するための経路を含み得る。
【０１１８】
通信インターフェース４０４は、トランシーバなどの任意の装置であり、別のデバイス、又はイーサネット、無線アクセスネットワーク（radio  access  network、ＲＡＮ）、無線ローカルエリアネットワーク（wireless  local  area  network、ＷＬＡＮ）、若しくは有線アクセスネットワークなどの通信ネットワークと通信するように構成される。
【０１１９】
メモリ４０３は、静的情報及び命令を記憶することができる読取専用メモリ（read-only  memory、ＲＯＭ）若しくは他のタイプの静的記憶デバイス、情報及び命令を記憶することができるランダムアクセスメモリ（random  access  memory、ＲＡＭ）若しくは他のタイプの動的記憶デバイス、電気的消去可能プログラマブル読取専用メモリ（electrically  erasable  programmable  read-only  memory、ＥＥＰＲＯＭ）、コンパクトディスク読取専用メモリ（compact  disc  read-only  memory、ＣＤ‐ＲＯＭ）若しくは他のコンパクトディスクメモリ、光ディスクメモリ（コンパクトディスク、レーザディスク、光ディスク、デジタル多用途ディスク、ブルーレイディスクなどを含む）、磁気ディスク記憶媒体又は他の磁気記憶デバイス、又は命令若しくはデータ構造の形式で期待されたプログラムコードを搬送又は記憶でき、コンピュータによりアクセスできる任意の他の媒体でもよい。しかしながら、これはこのことに限定されない。メモリは、独立して存在してもよく、通信線４０２を介してプロセッサに接続される。代替的に、メモリは、プロセッサと統合されてもよい。
【０１２０】
メモリ４０３は、本出願における解決策を実行するためのコンピュータ実行可能命令を記憶するように構成され、プロセッサ４０１は、実行を制御する。プロセッサ４０１は、メモリ４０３に記憶されたコンピュータ実行可能命令を実行するように構成され、本出願の前述の実施形態で提供された通信方法を実現する。
【０１２１】
任意で、本出願の実施形態におけるコンピュータ実行可能命令は、アプリケーションプログラムコードと呼ばれることもある。これは、本出願の実施形態において具体的に限定されない。
【０１２２】
特定の実装の間、一実装において、プロセッサ４０１は、１つ以上のＣＰＵ、例えば、図４のＣＰＵ０及びＣＰＵ１を含んでもよい。
【０１２３】
特定の実装の間、一実施形態において、装置４００は、複数のプロセッサ、例えば、図４のプロセッサ４０１及びプロセッサ４０８を含んでもよい。プロセッサの各々は、シングルＣＰＵ（single-CPU）プロセッサでもよく、あるいはマルチＣＰＵ（multi-CPU）プロセッサでもよい。本明細書におけるプロセッサは、データ（例えば、コンピュータプログラム命令）を処理するように構成された１つ以上のデバイス、回路、及び／又は処理コアでもよい。
【０１２４】
図４に示す装置が、チップ、例えば、端末のチップ又は基地局（第１の基地局又は第２の基地局）のチップであるとき、チップは、プロセッサ４０１、通信線４０２、メモリ４０３、及び通信インターフェース４０４を含む（かつ、プロセッサ４０８をさらに含んでもよい）。具体的に、通信インターフェース４０４は、入力インターフェース、入力ピン、入力回路などでもよい。メモリ４０３は、レジスタ、キャッシュなどでもよい。プロセッサ４０１及びプロセッサ４０８は各々、汎用ＣＰＵ、マイクロプロセッサ、ＡＳＩＣ、又は前述の実施形態のいずれか１つにおける通信方法を実行するためのプログラムを制御するように構成された１つ以上の集積回路でもよい。
【０１２５】
本出願において、装置は、前述の方法の例に基づいて機能モジュールに分割されてもよい。例えば、各機能モジュールは各対応機能に基づく分割を通じて得られてもよく、あるいは、２つ以上の機能が１つの処理モジュールに統合されてもよい。統合モジュールは、ハードウェアの形態で実現されてもよく、あるいはソフトウェア機能モジュールの形態で実現されてもよい。本出願におけるモジュール分割は一例であり、論理的な機能分割に過ぎないことに留意されたい。実際の実装の間、別の分割方法が使用されてもよい。例えば、図５は、各機能モジュールが各対応機能に基づく分割を通じて得られるときの装置の概略図である。装置５００は、前述の実施形態における端末、又は端末のチップでもよい。装置５００は、受信ユニット５０１、送信ユニット５０２、及び処理ユニット５０３を含む。
【０１２６】
受信ユニット５０１は、第２の基地局から第１の情報を受信するように構成され、第１の情報は、第１の基地局のネットワークベースのセル固有参照信号ＣＲＳ帯域幅緩和ステータス情報を含み、第２の基地局は、端末装置のサービスサービングセルの基地局であり、第１の基地局は、サービングセルの近隣セルの基地局である。
【０１２７】
処理ユニット５０３は、少なくとも第１の情報に基づいて測定帯域幅値を決定し、測定帯域幅値に基づいて、端末装置が位置するサービングセル又はサービングセルの近隣セルの信号強度又は信号品質のうち少なくとも１つを測定するように構成される。
【０１２８】
可能な一実装において、処理ユニット５０３は、
第１の基地局のネットワークベースのＣＲＳ帯域幅緩和ステータス情報が帯域幅緩和値を示すとき、帯域幅緩和値を測定帯域幅値として決定し、あるいは、
第１の基地局のネットワークベースのＣＲＳ帯域幅緩和ステータス情報が緩和状態を示すとき、緩和状態に対応する少なくとも２つの帯域幅緩和値のうち１つを測定帯域幅値として決定する
ように具体的に構成される。
【０１２９】
可能な一実装において、受信ユニット５０１は、第２の基地局から第２の基地局のネットワークベースのＣＲＳ帯域幅緩和ステータス情報を受信するようにさらに構成される。
【０１３０】
処理ユニット５０３は、第１の情報及び第２の基地局のネットワークベースのＣＲＳ帯域幅緩和ステータス情報に基づいて測定帯域幅値を決定するように具体的に構成される。
【０１３１】
装置は、本発明の実施形態における方法において端末により実行されるステップを実現するように構成され得ることを理解されたい。関連する特徴については、前述の説明を参照する。詳細はここで再度説明されない。
【０１３２】
具体的に、図５の受信ユニット５０１、処理ユニット５０３、及び送信ユニット５０２の機能／実現プロセスは、図４のプロセッサ４０１により、メモリ４０３に記憶されたコンピュータ実行可能命令を呼び出すことにより実現されてもよい。代替的に、図５の処理ユニット５０３の機能／実現プロセスは、図４のプロセッサ４０１により、メモリ４０３に記憶されたコンピュータ実行可能命令を呼び出すことにより実現されてもよく、図５の受信ユニット５０１及び送信ユニット５０２の機能／実現プロセスは、図４の通信インターフェース４０４により実現されてもよい。
【０１３３】
任意で、装置５００がチップ又は回路であるとき、受信ユニット５０１及び送信ユニット５０２の機能／実現プロセスは、ピン、回路などにより実現されてもよい。任意で、装置５００がチップであるとき、メモリ４０３は、チップ内の記憶ユニット、例えば、レジスタ又はキャッシュでもよい。確かに、装置５００が端末であるとき、メモリ４０３は、端末内部でチップ外部の記憶ユニットでもよい。これは、本出願のこの実施形態において具体的に限定されない。
【０１３４】
本出願において、装置は、前述の方法の例に基づいて機能モジュールに分割されてもよい。例えば、各機能モジュールは各対応機能に基づく分割を通じて得られてもよく、あるいは、２つ以上の機能が１つの処理モジュールに統合されてもよい。統合モジュールは、ハードウェアの形態で実現されてもよく、あるいはソフトウェア機能モジュールの形態で実現されてもよい。本出願におけるモジュール分割は一例であり、論理的な機能分割に過ぎないことに留意されたい。実際の実装の間、別の分割方法が使用されてもよい。例えば、図６は、各機能モジュールが各対応機能に基づく分割を通じて得られるときの装置の概略図である。装置６００は、前述の実施形態における第１の基地局若しくは第２の基地局、又は第１の基地局若しくは第２の基地局のチップでもよい。装置６００は、受信ユニット６０１、送信ユニット６０２、及び処理ユニット６０３を含む。
【０１３５】
装置６００が第１の基地局であるとき、送信ユニット６０２は、第１の情報を第２の基地局に送信するように構成され、第１の情報は、第１の基地局のネットワークベースのセル固有参照信号ＣＲＳ帯域幅緩和ステータス情報を含み、第２の基地局は、端末装置のサービスサービングセルの基地局であり、第１の基地局は、サービスサービングセルの近隣セルの基地局である。
【０１３６】
可能な一実装において、送信ユニット６０２は、以下の条件、すなわち、第１の基地局のＣＲＳ構成が変わることと、受信ユニット６０１が第２の基地局から第１の要求情報を受信し、第１の要求情報は、第１の基地局のネットワークベースのＣＲＳ帯域幅緩和ステータス情報を第２の基地局に送信するように第１の基地局に示すために使用されることと、のうち少なくとも１つが満たされたとき、第１の情報を第２の基地局に送信するように構成される。
【０１３７】
可能な一実装において、送信ユニット６０２は、第１の情報を第２の基地局に周期的に送信するように具体的に構成される。
【０１３８】
可能な一実装において、送信ユニット６０２は、第２の情報を第２の基地局に送信するようにさらに構成され、第２の情報は、第１の基地局のネットワークベースのＣＲＳ帯域幅緩和能力情報を含む。
【０１３９】
可能な一実装において、受信ユニット６０１は、第２の基地局から第２の要求情報を受信するように構成され、第２の要求情報は、第１の基地局のネットワークベースのＣＲＳ帯域幅緩和能力情報を第２の基地局に送信するように第１の基地局に示すために使用される。
【０１４０】
可能な一実装において受信ユニット６０１は、第２の基地局から第３の情報を受信するようにさらに構成され、第３の情報は、第１の情報が受信されたことを通知するために使用される。
【０１４１】
可能な一実装において、受信ユニット６０１は、第２の基地局から第４の情報を受信するようにさらに構成され、第４の情報は、第２の情報が受信されたことを通知するために使用される。
【０１４２】
装置６００が第２の基地局であるとき、受信ユニット６０１は、第１の基地局から第１の情報を受信するように構成され、第１の情報は、第１の基地局のネットワークベースのセル固有参照信号ＣＲＳ帯域幅緩和ステータス情報を含み、第２の基地局は、端末装置のサービスサービングセルの基地局であり、第１の基地局は、サービングセルの近隣セルの基地局である。
【０１４３】
可能な一実装において、送信ユニット６０２は、第１の要求情報を第１の基地局に送信するように構成され、第１の要求情報は、第１の基地局のネットワークベースのＣＲＳ帯域幅緩和ステータス情報を第２の基地局に送信するように第１の基地局に示すために使用され、受信ユニット６０１は、第１の基地局から第１の情報を受信するようにさらに構成される。
【０１４４】
可能な一実装において、受信ユニット６０１は、第１の基地局から第２の情報を受信するようにさらに構成され、第２の情報は、第１の基地局のネットワークベースのＣＲＳ帯域幅緩和能力情報を含む。
【０１４５】
可能な一実装において、送信ユニット６０２は、第２の要求情報を第１の基地局に送信するように構成され、第２の要求情報は、第１の基地局のネットワークベースのＣＲＳ帯域幅緩和能力情報を第２の基地局に送信するように第１の基地局に示すために使用される。
【０１４６】
可能な一実装において、送信ユニット６０２は、第３の情報を第１の基地局に送信するように構成され、第３の情報は、第１の情報が受信されたことを通知するために使用される。
【０１４７】
可能な一実装において、送信ユニット６０２は、第４の情報を第１の基地局に送信するように構成され、第４の情報は、第２の情報が受信されたことを通知するために使用される。
【０１４８】
可能な一実装において、送信ユニット６０２は、第１の情報を端末装置に送信するように構成される。
【０１４９】
可能な一実装において、処理ユニット６０３は、少なくとも第１の情報に基づいて測定帯域幅値を決定するように構成され、送信ユニット６０２は、測定帯域幅値を端末装置に送信するように構成される。
【０１５０】
可能な一実装において、処理ユニット６０３は、第１の基地局のネットワークベースのＣＲＳ帯域幅緩和ステータス情報が帯域幅緩和値であるとき、帯域幅緩和値を測定帯域幅値として決定し、あるいは第１の基地局のネットワークベースのＣＲＳ帯域幅緩和ステータス情報が緩和状態であるとき、緩和状態に対応する複数の帯域幅緩和値のうち１つを測定帯域幅値として決定するように具体的に構成される。
【０１５１】
装置は、本発明の実施形態における方法において第１の基地局又は第２の基地局により実行されるステップを実現するように構成され得ることを理解されたい。関連する特徴については、前述の説明を参照する。詳細はここで再度説明されない。
【０１５２】
具体的に、図６の受信ユニット６０１、処理ユニット６０３、及び送信ユニット６０２の機能／実現プロセスは、図４のプロセッサ４０１により、メモリ４０３に記憶されたコンピュータ実行可能命令を呼び出すことにより実現されてもよい。代替的に、図６の処理ユニット６０３の機能／実現プロセスは、図４のプロセッサ４０１により、メモリ４０３に記憶されたコンピュータ実行可能命令を呼び出すことにより実現されてもよく、図６の受信ユニット６０１及び送信ユニット６０２の機能／実現プロセスは、図４の通信インターフェース４０４により実現されてもよい。
【０１５３】
任意で、装置６００がチップ又は回路であるとき、受信ユニット６０１及び送信ユニット６０２の機能／実現プロセスは、ピン、回路などにより実現されてもよい。任意で、装置６００がチップであるとき、メモリ４０３は、チップ内の記憶ユニット、例えば、レジスタ又はキャッシュでもよい。確かに、装置６００が第１の基地局又は第２の基地局であるとき、メモリ４０３は、第１の基地局又は第２の基地局内部でチップ外部の記憶ユニットでもよい。これは、本出願のこの実施形態において具体的に限定されない。
【０１５４】
前述の実施形態の全部又は一部は、ソフトウェア、ハードウェア、ファームウェア、又はこれらの任意の組み合わせを使用することにより実現されてもよい。実施形態を実現するためにソフトウェアが使用されるとき、実施形態は、全て又は部分的にコンピュータプログラムプロダクト形態で実現されてもよい。コンピュータプログラムプロダクトは、１つ以上のコンピュータ命令を含む。コンピュータプログラム命令がコンピュータ上でロードされ、実行されると、本発明の実施形態による手順又は機能が全て又は部分的に生成される。コンピュータは、汎用コンピュータ、専用コンピュータ、コンピュータネットワーク、又は他のプログラマブル装置でもよい。コンピュータ命令は、コンピュータ読取可能記憶媒体に記憶されてもよく、あるいはコンピュータ読取可能記憶媒体から別のコンピュータ読取可能記憶媒体に転送されてもよい。例えば、コンピュータ命令は、ウェブサイト、コンピュータ、サーバ、又はデータセンタから別のウェブサイト、コンピュータ、サーバ、又はデータセンタに、有線方式で（例えば、同軸ケーブル、光ファイバ、又はデジタル加入者線（digital  subscriber  line、ＤＳＬ）を使用することにより）、又は無線方式で（例えば、赤外線、無線、又はマイクロ波を使用することにより）転送されてもよい。コンピュータ読取可能記憶媒体は、コンピュータがアクセス可能な任意の使用可能媒体でもよく、あるいは、１つ以上の使用可能媒体を統合するサーバ又はデータセンタなどのデータ記憶デバイスでもよい。使用可能媒体は、磁気媒体（例えば、フロッピーディスク、ハードディスク、又は磁気テープ）、光学媒体（例えば、ＤＶＤ）、半導体媒体（例えば、ソリッドステートドライブ（ソリッドステートディスク（Solid  State  Disk）、ＳＳＤ））などでもよい。
【０１５５】
本発明の実施形態で説明された様々な例示的な論理ユニット及び回路は、一般的なプロセッサ、デジタル信号プロセッサ、特定用途向け集積回路（ＡＳＩＣ）、フィールドプログラマブルゲートアレイ（ＦＰＧＡ）若しくは別のプログラマブル論理装置、ディスクリートゲート若しくはトランジスタ論理、ディスクリートハードウェアコンポーネント、又はこれらの任意の組み合わせの設計を使用することにより、説明された機能を実現し、あるいは動作させてもよい。一般的なプロセッサは、マイクロプロセッサでもよい。任意で、一般的なプロセッサはさらに、任意の従来のプロセッサ、コントローラ、マイクロコントローラ、又はステートマシンでもよい。プロセッサはさらに、デジタル信号プロセッサとマイクロプロセッサ、複数のマイクロプロセッサ、デジタル信号プロセッサコアを有する１つ以上のマイクロプロセッサ、又は任意の他の同様の構成などのコンピューティング装置の組み合わせにより実現されてもよい。
【０１５６】
本出願の実施形態で説明される方法又はアルゴリズムのステップは、ハードウェアに直接組み込まれてもよく、プロセッサにより実行されるソフトウェアユニットでもよく、あるいはこれらの組み合わせでもよい。ソフトウェアユニットは、ＲＡＭメモリ、フラッシュメモリ、ＲＯＭメモリ、ＥＰＲＯＭメモリ、ＥＥＰＲＯＭメモリ、レジスタ、ハードディスク、取外し可能磁気ディスク、ＣＤ‐ＲＯＭ、又は当該分野における任意の他の形態の記憶媒体に記憶されてもよい。例えば、記憶媒体はプロセッサに接続されてもよく、それにより、プロセッサは記憶媒体から情報を読み出し、記憶媒体に情報を書き込み得る。代替的に、記憶媒体はさらに、プロセッサに統合されてもよい。プロセッサ及び記憶媒体は、ＡＳＩＣ内に設定されてもよく、ＡＳＩＣは、端末デバイスに設定されてもよい。代替的に、プロセッサ及び記憶媒体はさらに、端末デバイスの異なるコンポーネント内に配置されてもよい。
【０１５７】
コンピュータプログラム命令は、代替的に、コンピュータ又は別のプログラマブルデータ処理デバイスにロードされてもよく、それにより、一連の動作及びステップが、コンピュータ又は別のプログラマブルデバイス上で実行され、それにより、コンピュータにより実現される処理を生成する。したがって、コンピュータ又は別のプログラマブルデバイス上で実行される命令は、フローチャートの１つ以上のプロセス及び／又はブロック図の１つ以上のブロックにおいて特定の機能を実現するためのステップを提供する。
【０１５８】
本発明は、特定の特徴及びその実施形態を参照して説明されているが、本発明の主旨及び範囲から逸脱することなく、これらに対して様々な修正及び組み合わせがなされ得ることが明らかである。対応して、明細書及び添付の図面は、別記の特許請求の範囲により定義される本発明の例の説明に過ぎず、本発明の範囲をカバーする全ての修正、変形、組み合わせ、又は同等物、又はそのいずれかとみなされる。当業者は、本発明の主旨及び範囲から逸脱することなく、本発明に様々な修正及び変形をなせることが明らかである。本発明は、これらの修正及び変形が以下の特許請求の範囲及びそれらの同等の技術により定義される保護の範囲内に入ることを条件として、これらをカバーすることを意図している。
【図１】
2021517436.tif 000003
【図２】
2021517436.tif 000004
【図３】
2021517436.tif 000005
【図４】
2021517436.tif 000006
【図５】
2021517436.tif 000007
【図６】
2021517436.tif 000008
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
通信方法であって、
端末装置により、第２の基地局から第１の情報を受信するステップであり、前記第１の情報は、第１の基地局のネットワークベースのセル固有参照信号（ＣＲＳ）帯域幅緩和ステータス情報を含み、前記第２の基地局は、前記端末装置のサービングセルの基地局であり、前記第１の基地局は、前記サービングセルの近隣セルの基地局である、ステップと、
前記端末装置により、少なくとも前記第１の情報に基づいて測定帯域幅値を決定するステップと、
前記端末装置により、前記測定帯域幅値に基づいて、前記端末装置が位置する前記サービングセル又は前記サービングセルの前記近隣セルの信号強度又は信号品質のうち少なくとも１つを測定するステップと、
を含む方法。
【請求項２】
前記端末装置により、少なくとも前記第１の情報に基づいて測定帯域幅値を決定するステップは、
前記第１の基地局の前記ネットワークベースのＣＲＳ帯域幅緩和ステータス情報が帯域幅緩和値を示すとき、前記端末装置により、前記帯域幅緩和値を前記測定帯域幅値として決定するステップ、又は、
前記第１の基地局の前記ネットワークベースのＣＲＳ帯域幅緩和ステータス情報が緩和状態を示すとき、前記端末装置により、前記緩和状態に対応する少なくとも２つの帯域幅緩和値のうち１つを前記測定帯域幅値として決定するステップ
を含む、請求項１に記載の方法。
【請求項３】
当該方法は、
前記端末装置により、前記第２の基地局から、前記第２の基地局のネットワークベースのＣＲＳ帯域幅緩和ステータス情報を受信するステップ、
をさらに含み、
前記端末装置により、少なくとも前記第１の情報に基づいて測定帯域幅値を決定するステップは、
前記端末装置により、前記第１の情報及び前記第２の基地局の前記ネットワークベースのＣＲＳ帯域幅緩和ステータス情報に基づいて前記測定帯域幅値を決定するステップ
を含む、請求項１又は２に記載の方法。
【請求項４】
通信方法であって、
第１の基地局により、第１の情報を第２の基地局に送信するステップであり、前記第１の情報は、前記第１の基地局のネットワークベースのセル固有参照信号（ＣＲＳ）帯域幅緩和ステータス情報を含み、前記第２の基地局は、端末装置のサービングセルの基地局であり、前記第１の基地局は、前記サービングセルの近隣セルの基地局である、ステップ
を含む方法。
【請求項５】
前記第１の基地局は、以下の条件、すなわち、
前記第１の基地局のＣＲＳ構成が変わること、及び
前記第１の基地局が前記第２の基地局から第１の要求情報を受信し、前記第１の要求情報は、前記第１の基地局の前記ネットワークベースのＣＲＳ帯域幅緩和ステータス情報を前記第２の基地局に送信するように前記第１の基地局に示すために使用されること
のうち少なくとも１つが満たされたとき、前記第１の情報を前記第２の基地局に送信する、請求項４に記載の方法。
【請求項６】
第１の基地局により、第１の情報を第２の基地局に送信するステップは、
前記第１の基地局により、前記第１の情報を前記第２の基地局に周期的に送信するステップ
を含む、請求項４に記載の方法。
【請求項７】
当該方法は、
前記第１の基地局により、第２の情報を前記第２の基地局に送信するステップであり、前記第２の情報は、前記第１の基地局のネットワークベースのＣＲＳ帯域幅緩和能力情報を含む、ステップ
をさらに含む、請求項４乃至６のうちいずれか１項に記載の方法。
【請求項８】
当該方法は、
前記第１の基地局により、前記第２の基地局から第２の要求情報を受信するステップであり、前記第２の要求情報は、前記第１の基地局の前記ネットワークベースのＣＲＳ帯域幅緩和能力情報を前記第２の基地局に送信するように前記第１の基地局に示すために使用される、ステップ
をさらに含む、請求項７に記載の方法。
【請求項９】
通信方法であって、
第２の基地局により、第１の基地局から第１の情報を受信するステップであり、前記第１の情報は、前記第１の基地局のネットワークベースのセル固有参照信号（ＣＲＳ）帯域幅緩和ステータス情報を含み、前記第２の基地局は、端末装置のサービングセルの基地局であり、前記第１の基地局は、前記サービングセルの近隣セルの基地局である、ステップ
を含む方法。
【請求項１０】
第２の基地局により、第１の基地局から第１の情報を受信するステップは、
前記第２の基地局により、第１の要求情報を前記第１の基地局に送信するステップであり、前記第１の要求情報は、前記第１の基地局の前記ネットワークベースのＣＲＳ帯域幅緩和ステータス情報を前記第２の基地局に送信するように前記第１の基地局に示すために使用される、ステップと、
前記第２の基地局により、前記第１の基地局から前記第１の情報を受信するステップと、
を含む、請求項９に記載の方法。
【請求項１１】
当該方法は、
前記第２の基地局により、前記第１の基地局から第２の情報を受信するステップであり、前記第２の情報は、前記第１の基地局のネットワークベースのＣＲＳ帯域幅緩和能力情報を含む、ステップ
をさらに含む、請求項９又は１０に記載の方法。
【請求項１２】
当該方法は、
前記第２の基地局により、第２の要求情報を前記第１の基地局に送信するステップであり、前記第２の要求情報は、前記第１の基地局の前記ネットワークベースのＣＲＳ帯域幅緩和能力情報を前記第２の基地局に送信するように前記第１の基地局に示すために使用される、ステップ
をさらに含む、請求項１１に記載の方法。
【請求項１３】
請求項１乃至３のうちいずれか１項に記載の方法を実行するように構成された端末装置。
【請求項１４】
請求項４乃至８のうちいずれか１項に記載の方法を実行するように構成された基地局。
【請求項１５】
請求項９乃至１２のうちいずれか１項に記載の方法を実行するように構成された基地局。
【国際調査報告】
2021517436.tif 000009
2021517436.tif 000010
2021517436.tif 000011
2021517436.tif 000012